(57)【特許請求の範囲】
【請求項１】
インク注入具本体に固定された注入部材を通してインクカートリッジにインクを注入するインク注入具を包装するための直方体形状の容器であって、
矩形形状の底面部の四辺に、長手方向に沿う一対の第１側壁と短手方向に沿う一対の第２側壁とを延設しており、
上記一対の第１側壁から突出し互いに所定間隔を隔てて対向する一対の第１リブを有し、これら第１リブによって、容器内部がインク注入具本体を収容するための大収容部と、注入部材を配置するための小収容部に区画されており、
各収容部の形状は、本インク注入具が対象とする少なくとも一種類のインクカートリッジを、インク注入が可能な姿勢でそれぞれ保持できる形状に設定されていることを特徴とするインク注入具包装容器。
【請求項２】
上記大収容部において、上記一対の第１側壁にそれぞれ沿って底面部から所定高さにまで突出する一対の第２リブを備えたことを特徴とする請求項１記載のインク注入具包装容器。
【請求項３】
上記各第２リブは、それぞれ複数段の高さに設定されていることを特徴とする請求項２記載のインク注入具包装容器。
【請求項４】
上記一対の第１リブ同士の間の底面部から各第１リブに沿ってそれぞれ立ち上がり、互いに所定間隔を隔てて対向する一対の第３リブを備えたことを特徴とする請求項１ないし３の何れか一つに記載のインク注入具包装容器。
【請求項５】
上記一対の第３リブ間の底面部から第３リブよりも低い高さで立ち上がり、大収容部側へ延びる第４リブを備えたことを特徴とする請求項４記載のインク注入具包装容器。
【請求項６】
上記小収容部において、一方の第１側壁から他方の第１側壁に向かって途中部まで延び、底面部から立ち上がって上記第３リブと略同一高さを有する第５リブを備えたことを特徴とする請求項５記載のインク注入具包装容器。
【請求項７】
上記小収容部において、第２側壁に、一対の第１リブ間の間隔に相当する幅で窪む凹部を備えたことを特徴とする請求項１ないし６の何れか一つに記載のインク注入具包装容器。
【発明の詳細な説明】
【０００１】
【発明の属する技術分野】
本発明はインクカートリッジにインクを補給するためのインク注入具を包装するインク注入具包装容器に関する。
【０００２】
【従来の技術】
近年、インクジェット方式のプリンタが広く普及してきている。この種のプリンタでは、インクを充填したインクカートリッジを装備し、インクを印字ヘッド側へ供給するようにしている。このようなインクカートリッジは、使い捨てされているのが実情である。
【０００３】
しかしながら、インクカートリッジはかなりの高価格であり、ユーザにとってはこのような高価格のインクカートリッジを頻繁に交換することは、経済的な負担が大きく不満となっていた。特にカラー用のインクカートリッジでは、もともと各色の収容量が少ないうえに使用される色が偏りやすいことから早期の交換が必要であった。
【０００４】
ところが、インクカートリッジは、収容していたインクを単に消費し尽くしたものであって、カートリッジの本体は、まだまだ使用可能なものである。
このような事情に鑑みて、インク注入を円滑に行うためのインク注入具として、蛇腹状で伸縮自在な合成樹脂製のインク収容容器の下部に注入部材を取り付けたものが、一部で市販されている。
【０００５】
このようなインク注入具を購入したユーザは、カートリッジの本体の上面に錐やドリルで孔をあけた後、このカートリッジの本体を片手でテーブル上に保持すると共に、他方の手でインク注入具を持ち、インク注入具の注入部材をカートリッジの本体の孔に挿し込んでインクを注入するようにしている。
【０００６】
【発明が解決しようとする課題】
しかしながら、インクの注入速度が早すぎたりカートリッジがインクで満杯になったりすると、カートリッジからインクがあふれ出すことがあり、この場合、カートリッジを保持している手やテーブルがインクで汚れてしまい、後始末が非常に面倒なものとなる。
【０００７】
一方、このようなインク注入具を包装する容器は、単にインク注入具を包装する機能を果たしているのみであった。
本願発明者は、この包装容器を用いてインク注入作業の容易化を図ることができるのではないかと考えた。本発明は、このような着想に基づいてなされたものであり、インク注入作業を容易に行うことができるインク注入具包装容器を提供することを目的とする。
【０００８】
【課題を解決するための手段】
上記目的を達成するため、
１）  請求項１記載のインク注入具包装容器は、インク注入具本体に固定された注入部材を通してインクカートリッジにインクを注入するインク注入具を包装するための直方体形状の容器であって、矩形形状の底面部の四辺に、長手方向に沿う一対の第１側壁と短手方向に沿う一対の第２側壁とを延設しており、上記一対の第１側壁から突出し互いに所定間隔を隔てて対向する一対の第１リブを有し、これら第１リブによって、容器内部がインク注入具本体を収容するための大収容部と、注入部材を配置するための小収容部に区画されており、各収容部の形状は、本インク注入具が対象とする少なくとも一種類のインクカートリッジを、インク注入が可能な姿勢でそれぞれ保持できる形状に設定されていることを特徴とするものである。
【０００９】
上記構成では、インク注入具を取り出した後、大収容部又は小収容部によって、インクカートリッジをインク注入が可能な姿勢に保持しておくことができるので、インク注入具を用いたインク注入を非常に容易に行うことができる。また、インクカートリッジからインクがあふれ出したとしても、このインクは本包装容器内に溜まり、手やテーブルの上を汚すことがない。さらに、大収容部と小収容部にそれぞれ少なくとも一種類のインクカートリッジを適合させてあるので、複数種のインクカートリッジに対応できる。
【００１０】
ここで、一対の第１リブ間を隔てる所定間隔とは、大収容部又は小収容部に収容しきれないタイプのインクカートリッジの一部を挿通させて保持することのできる間隔を意味する。
２）  請求項２記載のインク注入具包装容器は、請求項１において、上記大収容部において、上記一対の第１側壁にそれぞれ沿って底面部から所定高さにまで突出する一対の第２リブを備えたことを特徴とするものである。
【００１１】
上記構成では、一対の第１側壁間の幅を持つタイプと、一対の第２リブ間の幅を持つタイプの双方のインクカートリッジを、大収容部に保持できることになり、適合可能なインクカートリッジの種類を増やすことができる。
３）  請求項３記載のインク注入具包装容器は、請求項２において、上記各第２リブは、それぞれ複数段の高さに設定されていることを特徴とするものである。
【００１２】
上記構成では、インクカートリッジの下面が凹凸形状を有している場合に、この凹凸形状に、複数段の高さに設定した第２リブを適合させることにより、凹凸形状を有するインクカートリッジを安定して保持することができる。
４）  請求項４記載のインク注入具包装容器は、請求項１ないし３の何れか一つにおいて、上記一対の第１リブ同士の間の底面部から各第１リブに沿ってそれぞれ立ち上がり、互いに所定間隔を隔てて対向する一対の第３リブを備えたことを特徴とするものである。
【００１３】
上記構成では、大収容部又は小収容部に収容しきれないタイプのインクカートリッジの一部を、一対の第１リブ間に挿通させて保持する場合において、第１リブ間に挿通されるインクカートリッジの上記一部を、上記一対の第３リブによって受けることができ、インクカートリッジを安定して保持することができる。
５）  請求項５記載のインク注入具包装容器は、請求項４において、上記一対の第３リブ間の底面部から第３リブよりも低い高さで立ち上がり、大収容部側へ延びる第４リブを備えたことを特徴とするものである。
【００１４】
上記構成では、大収容部において、第２側壁と第３リブの端面との間でインク注入具の長手方向移動を規制し、インク収容具を安定して収容することができる。
６）  請求項６記載のインク注入具包装容器は、請求項５において、上記小収容部において、一方の第１側壁から他方の第１側壁に向かって途中部まで延び、底面部から立ち上がって上記第３リブと略同一高さを有する第５リブを備えたことを特徴とするものである。
【００１５】
上記構成では、小収容部において、第３リブと第５リブとによって、インクカートリッジを底面部から浮かした状態に受け、安定して保持することができる。また、インクカートリッジに底面部側へ突出する突出部があっても、インクカートリッジ自体を底面部から浮かせて保持しているので、突出部の存在が邪魔にならず、安定して保持することができる。
【００１６】
７）  請求項７記載のインク注入具包装容器は、請求項１ないし６の何れか一つにおいて、上記小収容部において、第２側壁に、一対の第１リブ間の間隔に相当する幅で窪む凹部を備えたことを特徴とするものである。
上記構成では、小収容部において、上記一対のリブ間から上記凹部内に至るまで延びるインクカートリッジを、安定して保持することができる。
【００１７】
【発明の実施の形態】
本発明の好ましい実施の形態を添付図面を参照しつつ説明する。
図１は本発明の一実施形態のインク注入具包装容器にインク注入具を収容した状態を示す斜視図であり、同図を参照して、本インク注入具包装容器Ａ（以下、単に包装容器Ａという）は、インクカートリッジ（以下、単にカートリッジという）にインクを注入するのに用いるインク注入具Ｂを包装するための直方体形状の容器である。また、本包装容器Ａは、図２に示すように、インクカートリッジＣを保持することができるようになっており、ユーザは、インクカートリッジＣを手で持つことなく、インク注入具Ｂを用いて、インク注入が行えるようになっている。
【００１８】
上記インク注入具Ｂは、金属製又は合成樹脂製の細い管状の注入部材９１と、この注入部材９１を通してインクを吸入し又吐出する弾性伸縮自在な蛇腹状のインク収容容器９２と、このインク収容容器９２の周囲を取り囲み注入部材９１を固定した比較的剛性のある保持枠９３とを備えている。インク収容容器９２と保持枠９３とによりインク注入具本体９４を構成している。詳細には図示していないが、保持枠９３は、インク収容容器９２の上面を押す親指を所定深さまで導入させるための指導入溝を形成している。
【００１９】
図３（ａ）は包装容器Ａの平面図であり、図３（ｂ）は包装容器Ａの側面図である。また、図４は図３（ａ）のI −I 線に沿う断面図であり、図５（ａ）は図３（ｂ）のII−II線に沿う断面図であり、図５（ｂ）は図３（ｂ）のIII −III 線に沿う断面図である。これらの図および図１を参照して、包装容器Ａは、例えばポリスチレン樹脂等の合成樹脂製の１枚のシート材により形成されている。包装容器Ａは、矩形形状の底面部１の四辺に、長手方向に沿う一対の第１側壁２，３と、短手方向に沿う一対の第２側壁４，５とを連続形成している。
【００２０】
各側壁２〜５は、その上面において所定の幅の平坦部を有し、この平坦部の内外で下方へ折り曲げられた、断面略コ字形の基本形状を有している。すなわち、各側壁２〜５は、シート材の二重構造を呈しており、薄肉のシート材でありながら、十分な剛性が得られるようにされている。
上記一対の第１側壁２，３からは、互いに所定間隔を隔てて対向する一対の第１リブ６が突出形成されている。第１リブ６の配置位置は、長手方向の中央部よりも一方の第２側壁５寄りの位置であり、これら第１リブ６を境にして、包装容器Ａの内部が、一方の第２側壁４側の大収容部７と、他方の第２側壁５側の小収容部８とに区画されている。
【００２１】
大収容部７は、インク注入具本体９４を収容するためのものであり、小収容部８は、主に注入部材９１を配置するためのものである。
各収容部７，８の形状は、インク注入具Ｂが対象とする少なくとも一種類のカートリッジを、インク注入が可能な姿勢でそれぞれ保持できる形状に設定されているが、さらに多種類のカートリッジを保持することができるように、包装容器Ａの内部に種々の工夫がこらされている。
【００２２】
まず、大収容部７において、上記一対の第１側壁２，３にそれぞれ沿って底面部１から所定高さにまで突出する一対の第２リブ９が形成されている。これらの第２リブ９は、それぞれ複数段、例えば上段９ａと下段９ｂの二段の高さに設定されている。
また、上記一対の第１リブ６，６同士の間の底面部１から各第１リブ６，６に沿ってそれぞれ立ち上がり、互いに所定間隔を隔てて対向する一対の第３リブ１０が形成されている。これら第３リブ１０，１０間の底面部１から、第３リブ１０よりも低い高さで立ち上がり、大収容部７側へ延びる第４リブ１１が形成されている。
【００２３】
上記小収容部８において、一方の第１側壁２から他方の第１側壁３に向かって両側壁２，３間の中間部まで延びる第５リブ１２が形成されている。この第５リブ１２は、底面部１から立ち上がって上記第３リブ１０と略同一高さを有している（図４参照）。また、上記小収容部８において、第２側壁５に、一対の第１リブ６，６間の間隔に相当する幅で窪む凹部１３が形成されている。
【００２４】
次いで、大収容部７および小収容部８にカートリッジを収容保持する際の各側壁２〜５、上記の各リブ６〜１２および凹部１３の働きを示すために、代表的な５つのカートリッジＣ１〜Ｃ６の場合に則して、図６〜図１３を参照しつつ説明する。
まず、平面図である図６（ａ）、およびこの図６（ａ）のIV−IV線に沿う断面図である図６（ｂ）を参照して、カートリッジＣ１は、小収容部８に収容されている。カートリッジＣ１の長手方向の一端部は、凹部１３内に収容され、これにより、カートリッジＣ１の長手方向Ｐへの移動が規制されている。また、カートリッジＣ１の短手方向Ｑへの移動は、凹部１３の対向する一対の側面１３ａ間と、一対の第１リブ６間にそれぞれ挟まれて規制されている。また、カートリッジＣ１の下面は、一対の第３リブ１０と第５リブ１２によって受けられ安定して支持されている。
【００２５】
次いで、平面図である図７（ａ）、およびこの図７（ａ）のX −X 線に沿う断面図である図７（ｂ）を参照して、本カートリッジＣ２を保持する形態が図６における保持の形態と異なるは、カートリッジＣ２の下面Ｃ２１に突出部Ｃ２２があり、この突出部Ｃ２２（インクの吐出部である）が、第５リブ１２と第２側壁５との間の空間に収容されていることである。この突出部Ｃ２２は、第５リブ１２の壁面に沿うようにされており、しかも、カートリッジＣ２の長手方向の一端部が第２側壁５の壁面に沿うようにされていることから、カートリッジＣ２の保持がより確実である。
【００２６】
次いで、平面図である図８（ａ）、およびこの図８（ａ）のXI−XI線に沿う断面図である図８（ｂ）を参照して、本カートリッジＣ３は、大収容部７に収容されている。カートリッジＣ３の幅方向（包装容器Ａの短手方向Ｑに沿う方向）の両端部は、一対の第１側壁２，３間に挟まれて、短手方向Ｑへの移動が規制されている。また、カートリッジＣ３の長手方向（包装容器Ａの長手方向Ｐに沿う方向）は、図８（ｂ）に示すように、若干余裕が持たされているので、第２側壁４あるいは第１リブ６の何れか一方側へ寄せておけば、長手方向の一方側への移動を規制することができる。また、カートリッジＣ３の下面Ｃ３１には、突出部Ｃ３２（インクの吐出部である）が形成されている。カートリッジＣ３の下面Ｃ３１は、第２リブ９の上段９ａで受けられ、且つ突出部Ｃ３２は、第２リブ９の下段９ｂで受けられている。これにより、カートリッジＣ３を略水平に安定して保持できるようになっている。
【００２７】
次いで、平面図である図９（ａ）、およびこの図９（ａ）のXII −XII 線に沿う断面図である図９（ｂ）を参照して、本カートリッジＣ４は、大収容部７に収容されている。カートリッジＣ４の幅方向（包装容器Ａの短手方向Ｑに沿う方向）の両端部は、一対の第２リブ９，９間に挟まれて、短手方向Ｑへの移動が規制されている。また、カートリッジＣ４の長手方向（包装容器Ａの長手方向Ｐに沿う方向）は、図９（ｂ）に示すように、若干余裕が持たされているので、第２側壁４あるいは第１リブ６の何れか一方側へ寄せておけば、長手方向の一方側への移動を規制することができる〔図９（ａ）では第１リブ６側に寄せられている）。また、カートリッジＣ４の下面Ｃ４１には、突出部Ｃ４２（インクの吐出部である）が形成されている。カートリッジＣ４の下面Ｃ４１は、第４リブ１１の上面によって受けられ、且つ突出部Ｃ４２は、包装容器Ａの底面部１によって受けられている。これにより、カートリッジＣ４を略水平に安定して保持できるようになっている。
【００２８】
次いで、平面図である図１０（ａ）、およびこの図１０（ａ）のXIII−XIII線に沿う断面図である図１０（ｂ）を参照して、本カートリッジＣ５は、小収容部８に収容されている。カートリッジＣ５の幅方向（包装容器Ａの長手方向Ｐに沿う方向）の両端部は、第２側壁５と第１リブ６との間に挟まれて、長手方向Ｐへの移動が規制されている。また、カートリッジＣ５の下面Ｃ５１には、突出部Ｃ５２（インクの吐出部である）が形成されている。カートリッジＣ５の下面Ｃ５１は、第５リブ１２の上面によって受けられ、且つ突出部Ｃ５２は、第５リブ１２と第１側壁３との間の空間に押し込まれている。これにより、カートリッジＣ５を略水平に安定して保持できるようにされている。また、カートリッジＣ５の長手方向（包装容器Ａの短手方向Ｑに沿う方向）は、上記突出部Ｃ５２が、第５リブ１２と第１側壁３との間の空間に略隙間なく嵌め込まれることにより、規制されている。
【００２９】
次いで、平面図である図１１（ａ）、およびこの図１１（ａ）のXIIII −XIIII 線に沿う断面図である図１１（ｂ）を参照して、本カートリッジＣ６は、小収容部８および大収容部７に跨がって保持されている。すなわち、カートリッジＣ６の幅方向（包装容器Ａの短手方向Ｑに沿う方向）の両端部は、一対の第３リブ１０，１０間に挟まれて、短手方向Ｑへの移動を規制されている。また、カートリッジＣ６の長手方向（包装容器Ａの長手方向Ｐに沿う方向）の一端部は、第５リブ１２の壁面に当接されて、長手方向Ｐへの移動を規制されている。また、カートリッジＣ６の下面Ｃ６１には、突出部Ｃ６２（インクの吐出部である）が形成されている。カートリッジＣ６の下面Ｃ６１は、第４リブ１１の上面によって受けられ、且つ突出部Ｃ６２は、包装容器Ａの底面部１によって受けられている。これにより、カートリッジＣ４を略水平に安定して保持できるようになっている。
【００３０】
本実施形態によれば、例示した図６〜図１１のようにして、複数のカートリッジを保持することができる。そして、このようにして保持したカートリッジに対して、図２に示すようにして、インク注入具Ｂを用いて、インクを再充填することができ、汎用性が高い。しかも、このとき、従来のように片手でインクカートリッジＣを保持しておく必要がなく、インク注入を非常に容易に行うことができる。また、仮に、インク注入時にインクカートリッジＣからインクがあふれ出たとしても、本包装容器Ａによって受け止めることができる結果、手やテーブルを汚すことがない。
【００３１】
特に、図８および図９に示すように、一対の第１側壁２，３間の幅を持つタイプのカートリッジＣ３と、一対の第２リブ９，９間の幅を持つタイプのカートリッジＣ４を、大収容部７に保持できることになり、適合可能なインクカートリッジの種類を増やすことができる。
また、図８に示すように、インクカートリッジＣ３の下面Ｃ３１が突出部Ｃ３２等の凹凸形状を有している場合に、この凹凸形状に、例えば上端９ａと下段９ｂのように複数段の高さに設定した第２リブ９を適合させることにより、凹凸形状を有するインクカートリッジＣ３を安定して保持することができる。このことに関しては、図７〜図１１の何れの保持の形態についても同様である。なお、３段以上に高さを異ならせても良い。
【００３２】
また、図６および図７のように大収容部７又は小収容部８に収容しきれないタイプのインクカートリッジＣ１，Ｃ２の一部を、一対の第１リブ６，６間に挿通させて保持する場合において、挿通されるインクカートリッジＣ１，Ｃ２の上記一部を、上記一対の第３リブ１０によって受けることができ、インクカートリッジＣ１，Ｃ２を安定して保持することができる。
【００３３】
また、図１１のように一方の収容部７，８のみでは保持が十分でなかったりするタイプのインクカートリッジＣ６を、一対の第３リブ１０，１０間に挿通させて保持する場合において、挿通されるインクカートリッジＣ６の上記一部を、第４リブによって受けることができ、インクカートリッジＣ６を安定して保持することができる。
【００３４】
また、図１に示すように、大収容部７において、第２側壁４と第３リブ１０の壁面との間でインク注入具Ｂの長手方向移動を規制し、インク収容具Ｂを安定して収容することができる。
また、図６および図７に示すように、小収容部８において、第３リブ１０と第５リブ１２とによって、インクカートリッジＣ１，Ｃ２を底面部１から浮かした状態に受け、安定して保持することができる。また、インクカートリッジＣ２に底面部１側へ突出する突出部Ｃ２２があっても、インクカートリッジＣ２自体を底面部１から浮かせて保持しているので、突出部Ｃ２２の存在が邪魔にならず、安定して保持することができる。
【００３５】
また、第２側壁５に、一対の第１リブ６，６間の間隔に相当する幅で窪む凹部１３を設けたので、図６および図７のように、上記一対のリブ６，６間から上記凹部１３内に至るまで延びるタイプのインクカートリッジＣ１，Ｃ２を、安定して保持することができる。
なお、本発明は上記実施形態に限定されるものではなく、本発明の範囲で種々の変更を施すことができる。
【００３６】
【発明の効果】
請求項１記載の発明では、インク注入具を用いてインク注入を行う際に、インクカートリッジを大収容部又は小収容部に保持しておくことができるので、従来のように片手でインクカートリッジを保持しておく必要がなく、インク注入を非常に容易に行うことができる。また、仮に、インク注入時にインクカートリッジからインクがあふれ出たとしても、容器によって受け止めることができる結果、手やテーブルを汚すことがない。さらに、複数のインクカートリッジに対応でき、汎用性が高い。
【００３７】
請求項２記載の発明では、一対の第１側壁間の幅を持つタイプと、一対の第２リブ間の幅を持つタイプの双方のインクカートリッジを、大収容部に保持できることになり、適合可能なインクカートリッジの種類を増やすことができる。
請求項３記載の発明では、インクカートリッジの下面が凹凸形状を有している場合に、この凹凸形状に、複数段の高さに設定した第２リブを適合させることにより、凹凸形状を有するインクカートリッジを安定して保持することができる。
【００３８】
請求項４記載の発明では、大収容部又は小収容部に収容しきれないタイプのインクカートリッジの一部を、一対の第１リブ間に挿通させて保持する場合において、第１リブ間に挿通されるインクカートリッジの上記一部を、上記一対の第３リブによって受けることができ、インクカートリッジを安定して保持することができる。
【００３９】
請求項５記載の発明では、大収容部において、第２側壁と第３リブの端面との間でインク注入具の長手方向移動を規制し、インク収容具を安定して収容することができる。
請求項６記載の発明では、小収容部において、第３リブと第５リブとによって、インクカートリッジを底面部から浮かした状態に受け、安定して保持することができる。また、インクカートリッジに底面部側へ突出する突出部があっても、インクカートリッジ自体を底面部から浮かせて保持しているので、突出部の存在が邪魔にならず、安定して保持することができる。
【００４０】
請求項７記載の発明では、小収容部において、上記一対のリブ間から上記凹部内に至るまで延びるタイプのインクカートリッジを、安定して保持することができる。
【図面の簡単な説明】
【図１】本発明の一実施形態のインク注入具包装容器がインク注入具Ｂを収容した状態を示す斜視図である。
【図２】包装容器によってカートリッジを保持してインク注入する際の斜視図である。
【図３】（ａ）は包装容器の平面図であり、（ｂ）は包装容器の側面図である。
【図４】図３のI −I 線に沿う断面図である。
【図５】（ａ）は図３（ｂ）のII−II線に沿う断面図であり、（ｂ）は図３（ｂ）のIII −III 線に沿う断面図である。
【図６】（ａ）は一のタイプのカートリッジを保持した包装容器の平面図であり、（ｂ）は（ａ）のIV−IV線に沿う断面図である。
【図７】（ａ）は他のタイプのカートリッジを保持した包装容器の平面図であり、（ｂ）は（ａ）のX −X 線に沿う断面図である。
【図８】（ａ）はさらに他のタイプのカートリッジを保持した包装容器の平面図であり、（ｂ）は（ａ）のXI−XI線に沿う断面図である。
【図９】（ａ）はさらに他のタイプのカートリッジを保持した包装容器の平面図であり、（ｂ）は（ａ）のXII −XII 線に沿う断面図である。
【図１０】（ａ）はさらに他のタイプのカートリッジを保持した包装容器の平面図であり、（ｂ）は（ａ）のXIII−XIII線に沿う断面図である。
【図１１】（ａ）はさらに他のタイプのカートリッジを保持した包装容器の平面図であり、（ｂ）は（ａ）のXIIII −XIIII 線に沿う断面図である。
【符号の説明】
Ｂ      インク注入具
９１    注入部材
９４    インク注入具本体
１      底面部
２，３    第１側壁
４，５    第２側壁
６      第１リブ
７      大収容部
８      小収容部
９      第２リブ
９ａ    上段
９ｂ    下段
１０    第３リブ
１１    第４リブ
１２    第５リブ
１３    凹部
【図１】
0003774512.tif 000002
【図２】
0003774512.tif 000003
【図３】
0003774512.tif 000004
【図４】
0003774512.tif 000005
【図５】
0003774512.tif 000006
【図６】
0003774512.tif 000007
【図７】
0003774512.tif 000008
【図８】
0003774512.tif 000009
【図９】
0003774512.tif 000010
【図１０】
0003774512.tif 000011
【図１１】
0003774512.tif 000012